(57)【要約】【課題】分割フランジの作業性の良さを残しつつも本来持つフランジ継手の強度も確保したフランジ継手部構造を提供する。【解決手段】フランジ付きパイプ６又はつばだし加工パイプ８の継手方法で、ルーズフランジ又は分割フランジを使用していたものを作業性の良さを残しつつも本来持つフランジ継手の強度の良さも確保する目的で添えフランジ１と分割フランジ継手２・３及びスペーサー４・５を組み合わせることで実現するフランジ継手部構造。【選択図】図１
2011179680.tif 000002
【特許請求の範囲】
【請求項１】
管同士を連結する手段としてあるフランジ継手部構造であって、フランジ付きパイプを添えフランジ１と分割フランジ継手２・３とを組み合わせて連結することを特長とする管用管継手。
【請求項２】
管同士を連結する手段としてあるフランジ継手部構造であって、つばだし加工のパイプを添えフランジ１と分割フランジ継手２・３とスペーサー４・５を組み合わせて連結することを特長とする管用管継手。
【請求項３】
請求項１及び請求項２に記載の添えフランジ１と分割フランジ継手２・３がボルト又はピンのセット穴１１によって一次的に連結されることを特長とする管用管継手。
【発明の詳細な説明】
【技術分野】
【０００１】  本発明は、配管継手に代表されている通り管状物同士をボルト・ナットで連結する為のフランジ継手部の構造に関する。
【背景技術】
【０００２】  配管継手方法の中でのフランジ継手は工業規格で定められている通り一般的であるが、配管材本体にフランジ継手加工するには配管材が高価である事あるいは配管材そのものの強度の問題や製造コストの問題等から、管材に直接フランジ継手加工するには制約がある。【０００３】  配管材に溶接や接着又はねじ込みによる後付けによってフランジ継手を製作することがある。しかし材質や使用環境から溶接や接着が出来ない場合もある。【０００４】  配管材端部にフランジ加工あるいはつばだし加工としてスタブエンド取り付けやノーラ加工を行い、フランジ継手同士のセットボルト位置が合わせやすいルーズフランジを配管材のもう一方の端部から通して取り付ける場合、一方から通せない場合はルーズフランジを管材に通した後で管材両端部のつばだし加工をおこなう方法が有るが加工に際する作業性が悪い。【０００５】  ルーズフランジを管材に通すことの出来ない場合又はつばだし加工の作業性や配管施工の作業性を改善する為に分割フランジ継手が開発されたが分割したことによる問題点を残しているため更なる開発が望まれていた。【０００６】  分割フランジ継手の最大の問題点として、分割したことによる本来持つフランジ継手の強度が低下し、場合によっては施工時のボルト・ナットを締める際に片締めにより変形してしまう事も起きる等ボルト・ナットによる押圧調整が必要となる。施工後も地震のような大きな振幅に対し強度に不安を残している。【０００７】  上記分割フランジ継手の強度の問題を解決しようとして後記特許文献１の特開平４−２４４６９２号においては分割フランジ継手をリング状のナット（文献での呼称リング体）で挟みこみながら押さえつける方法で同開発品には効果をあげているが後記図２のフランジ付きパイプ６のフランジ部分７あるいはつばだし加工パイプ８のつば部分９の外径が少し大きくなればＪＩＳＢ２２２０等の規格によるところのボルト位置の関係からナットのタップが切れない場合が起きる。【０００８】  さらなる分割フランジ継手の問題点としてシール効果の高い全面フランジパッキンを使用する場合、フランジシール面の分割部分の凹部によりパッキンにラジアル方向の押圧アンバランスが発生し場合によってはシール効果の劣化又はパッキン本体の損傷を招きかねない状況が有る。【０００９】  さらにルーズフランジを含め分割フランジ継手の問題点は管材がゴムや樹脂等の場合、連結ボルトの締め加減によってはフランジ付きパイプ６のフランジ部７を押しつぶしによる変形や場合によっては破損させる恐れがあった。
そこで上述した問題点を解決するとともに施工のトータルコストをも下げ、安全で高品質なフランジ継手の開発が望まれていた。
【先行技術文献】
【特許文献】
【００１０】
【特許文献１】特開平４−２４４６９２号  公報
【特許文献２】特開２００９−２２８８９２号  公報
【特許文献３】実開昭５９−１２３７８２号  公報
【特許文献４】実開昭６３−１６０４８９号  公報
【発明の概要】
【発明が解決しようとする課題】
【００１１】  以上に述べた従来の分割フランジ継手は作業性が大きく改善されたものの、本来フランジ継手の持つ強度や信頼性の高さにおいて不安を残している。【００１２】  特に管材質そのものの強度が低い銅管や樹脂パイプ等の場合、また構造上の強度が低いつばだし加工の場合は、地震等大きな振幅のラジアル荷重に際し従来の分割フランジ継手では分割部分で折れ曲がる可能性が高い。【００１３】  本発明は、分割フランジ継手の作業性の良さを保ちながらもなおかつフランジ継手の本来持つ強度を含めた信頼性の高さも実現することを目的とするものである。
【課題を解決するための手段】
【００１４】  本発明は従来技術の分割フランジ継手のように部分的な添え板又は嵌め合いを行うのではなく、上記目的を達成する為図１の通り分割フランジ継手２・３に加えリング状の添え板すなわち添えフランジ１を備えた事に有る。【００１５】  図２のフランジ付きパイプ６の場合であれば上記添えフランジ１と分割フランジ継手２・３の組み合わせで良い。【００１６】  図２のつばだし加工パイプ８の場合であれば上記添えフランジ１と分割フランジ継手２・３に加えて図１で示すスペーサー４・５を組み合わせることとなる。【００１７】  それぞれ実施例の組立配置は図４の通りである。
【発明の効果】
【００１８】  本発明は大型管から接着や溶着が困難なフッ素樹脂やポリエチレンパイプ等に有効であるだけでなく管状構造物全般に有効で、特別な工具も必要とせず作業性が良い。【００１９】  添えフランジ１により折れ曲がりに対する強度が格段に向上し配管施工時のセットボルトによる押圧調整の熟練も必要なく施工後の強度も格段に向上し耐振性も良くなる。しかもフランジシール面が平坦でシール効果の高い全面フランジパッキンが使用できる。【００２０】  加えて添えフランジ１がゴムや樹脂等からなるフランジ付きパイプ６のフランジ部分７を分割フランジ継手２・３とでホールドする結果となり変形や破損を防止する。【００２１】  スペーサー４・５を使うことによりつばだし加工パイプ８の場合でもフランジ付きパイプ６と共通部品が使用出来るのでコスト削減に繋がる。
【図面の簡単な説明】
【００２２】
【図１】  本発明の実施例を示す斜視図
【図２】  従来から有るパイプの形態を示す斜視図
【図３】  本発明実施例の一部正面図
【図４】  本発明を含む実施例の組立配置図
【発明を実施するための形態】
【００２３】  添えフランジ１の内径はフランジ付きパイプ６のフランジ部分７及びつばだし加工パイプ８のつば部分９の外径を基準に嵌め合うことが出来る大きさとする。
【００２４】  分割フランジ継手２・３の内径はパイプの外径を基準に嵌め合う事が出来る大きさとする。
【００２５】  添えフランジ１と分割フランジ継手２・３の外径及びボルトの穴１０は日本工業規格ＪＩＳＢ２２２０等に基づくものとする。
【００２６】  スペーサー４・５は図では二分割となっているが限定したものではなくセットできる状況で有ればよい。
【００２７】  添えフランジ１分割フランジ継手２・３スペーサー４・５の材質は金属に限らず、圧縮強度に耐え使用環境に適合するものであれば樹脂等でも良い。
【００２８】  図３のボルト又はピンのセット穴１１の目的は各フランジを一次的に連結する為で特に添えフランジ１と分割フランジ継手２・３の位置決めをするものである。
【００２９】  スペーサー４・５の大きさは添えフランジ１とつば部分９と分割フランジ継手２・３が作るスペースを埋める大きさとする。
【実施例】
【００３０】  図４が本発明を含む実施例の組立配置図である。
【産業上の利用可能性】
【００３１】  本発明は配管における管継手だけでなく管状構造体の継手方法として有効である。
【符号の説明】
【００３２】  １    添えフランジ
２    分割フランジ継手
３    分割フランジ継手（２と同型）
４    スペーサー
５    スペーサー（４と同型）
６    フランジ付きパイプ
７    上記パイプ６のフランジ部分
８    つばだし加工パイプ
９    上記パイプ８のつば部分
１０  ボルトの穴
１１  ボルト又はピンのセット穴
【図１】
2011179680.tif 000003
【図２】
2011179680.tif 000004
【図３】
2011179680.tif 000005
【図４】
2011179680.tif 000006
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
端部にフランジ部（７）が形成されたパイプ（６）に用いられるフランジ継手部構造であって、前記フランジ部（７）の外径にその内径が一致して前記フランジ部（７）と嵌合する添えフランジ（１）と、前記パイプ（６）の外径にその内径が一致して前記パイプ（６）と嵌合して，前記添えフランジ（１）に対してパイプ（６）側に併設される分割フランジ（２，３）とを有し、前記添えフランジ（１）と前記分割フランジ（２，３）は、それぞれセット穴（１１）を備え，このセット穴（１１）にボルト又はピンを挿通して相手方フランジ継手構造に連結されることを特徴とするフランジ継手構造。
【請求項２】
端部に鍔部（９）が形成されたパイプ（８）に用いられるフランジ継手部構造であって、前記鍔部の外径と同一でかつパイプの外径にその内径が一致して前記鍔部のパイプ（８）側に添設される分割スペーサー（４，５）と、前記鍔部（９）及び前記分割スペーサー（４，５）の外径にその内径が一致して前記鍔部（９）及び前記分割スペーサー（４，５）と嵌合する添えフランジ（１）と、前記パイプ（８）の外径にその内径が一致して前記パイプ（８）と嵌合して，前記添えフランジ（１）に対してパイプ（８）側に併設される分割フランジ（２，３）とを有し、前記添えフランジ（１）と前記分割フランジ（２，３）は、それぞれセット穴（１１）を備え，このセット穴（１１）にボルト又はピンを挿通して相手方フランジ継手構造に連結されることを特徴とするフランジ継手構造。